(57)【要約】【課題】排尿および排便の重みによって吸収体が垂れ下がるのを防止するとともに、横漏れおよびゴムによる脚周りの跡付きを防止する。【解決手段】使用面側を覆う透液性トップシート１１と、外面側を覆う本体バックシート２０との内部に吸収体１３が介在され、紙おむつの両側部にほぼ紙おむつの全長に亘って表面側に突出する立体ギャザーＢ１が形成された使い捨て紙おむつにおいて、前記使い捨て紙おむつの両側部に紙おむつの略長手方向に沿って直線状に或いは脚周りに沿うように展開視で弧状に配置された吸収体持上げ用弾性伸縮部材１４，１４を配置するとともに、前記直線状に或いは脚周りに沿うように展開視で弧状に配置された吸収体持上げ用弾性伸縮部材１４，１４の前後端部を吸収体配設領域に固定する。【選択図】図１
2007000653.tif 000002
【特許請求の範囲】
【請求項１】
使用面側を覆う透液性トップシートと、外面側を覆うバックシートとの内部に吸収体が介在された使い捨て紙おむつにおいて、
前記使い捨て紙おむつの両側部に紙おむつの略長手方向に沿って直線状に或いは脚周りに沿うように展開視で弧状に配置された吸収体持上げ用弾性伸縮部材を配置するとともに、前記直線状に或いは脚周りに沿うように展開視で弧状に配置された吸収体持上げ用弾性伸縮部材の前後端部を吸収体配設領域に固定したことを特徴とする使い捨て紙おむつ。
【請求項２】
前記吸収体は中間両側部領域に括れ部を有する略砂時計形状を成し、前記吸収体持上げ用弾性伸縮部材は、中間部では前記括れ部を通り、前後端部が吸収体前後端側部に夫々固定されている請求項１記載の使い捨て紙おむつ。
【請求項３】
前記吸収体持上げ用弾性伸縮部材は、脚周りに沿うように展開視で弧状に配置されている請求項１、２いずれかに記載の使い捨て紙おむつ。
【請求項４】
前記吸収体は中間両側部領域に括れ部を有する略砂時計形状を成し、前記吸収体持上げ用弾性伸縮部材は、展開視で前記括れ部に沿って吸収体の内側領域に配置されている請求項１、２いずれかに記載の使い捨て紙おむつ。
【請求項５】
透液性トップシートと、防水フィルムとの間に吸収性本体を含み、表面両側に立体ギャザーが形成された紙おむつ本体の外面側に本体バックシートが一体的に設けられた使い捨て紙おむつにおいて、
前記本体バックシートは、前身頃に横方向に沿って複数の腹部弾性伸縮部材が設けられるとともに、後見頃に横方向に沿って複数の臀部弾性伸縮部材が設けられ、
前記使い捨て紙おむつの両側部に紙おむつの略長手方向に沿って直線状に或いは脚周りに沿うように展開視で弧状に配置された吸収体持上げ用弾性伸縮部材を配置するとともに、該吸収体持上げ用弾性伸縮部材の一方端は前記複数の腹部弾性伸縮部材の内、最も股下側の腹部弾性伸縮部材を越えて延在し、かつ前記吸収体持上げ用弾性伸縮部材の他方端は前記複数の臀部弾性伸縮部材の内、最も股下側の臀部弾性伸縮部材を越えて延在していることを特徴とする使い捨て紙おむつ。
【発明の詳細な説明】
【技術分野】
【０００１】
本発明は、主には排尿および排便の重みによって吸収体が垂れ下がるのを防止するようにした使い捨て紙おむつに関する。
【背景技術】
【０００２】
従来より、おむつ離れを促進する、或いはその都度止着テープを用いての装着作業から大人を解放し、装着を簡便化するなどの目的のために、パンツ型使い捨て紙おむつがテープ型使い捨て紙おむつと共に市場に提供されている。
【０００３】
本出願人も先の特開平１０−１２７６８７号公報、特開平１１−１２８２６７号公報などにおいて、パンツ型使い捨て紙おむつを提案した。前者の特開平１０−１２７６８７号公報において提案したパンツ型使い捨て紙おむつを例に採って説明すれば、このパンツ型使い捨て紙おむつは、図１０に示されるように、透液性トップシート５２と、ポリエチレン等からなる防水フィルム５３と、これら両シート間に介在された吸収体５４とからなる紙おむつ本体５０の外面側に本体バックシート５１を設けた構造のものである。
【０００４】
前記本体バックシート５１は、表面バックシート５５と裏面バックシート５６との二層構造となっており、これら両シート間５５，５６には、紙おむつの腰部開口部を封止する腰回り弾性伸縮部材５７…，５８…が配設されるとともに、腹部および背部のそれぞれに対してずり落ちを防止するとともに、フィット性を確保するために腹側弾性伸縮部材５９、５９…および背側弾性伸縮部材６０，６０…、並びに脚回りを封止する脚回り第１弾性伸縮部材６１，６１…と脚回り第２弾性伸縮部材６２、６２…とが設けられている。この脚回り第１弾性伸縮部材６１、６１…は、一方の脚回りの前身頃Ｆ端から股間部を巡って他方の脚回りの前身頃Ｆ端に連続して配設された１または複数の弾性伸縮部材であり、前記脚回り第２弾性伸縮部材６２、６２…は、一方の脚回りの後身頃Ｂ端から股間部を巡って他方の脚回りの後身頃Ｂ端に連続して配設された１または複数の弾性伸縮部材である。紙おむつの股間部位では、前記第１弾性伸縮部材６１、６１…と、第２弾性伸縮部材６２、６２…とは、交差することなく接近しながら紙おむつの幅方向に沿って配設されている。
【０００５】
前記紙おむつ本体５０は、外面側に防水フィルム５３のほぼ全面がホットメルト接着剤によって本体バックシート５１の表面バックシート５５に接着固定され一体化されている。前述の紙おむつは、略中央の折り畳みラインＬにて前身頃Ｆと後身頃Ｂを重ね合わせ、その両側縁部を超音波溶接法等の溶着方法に接合することによってパンツ型に成形される。
【発明の開示】
【発明が解決しようとする課題】
【０００６】
しかしながら、かかる使い捨て紙おむつの場合には、前記吸収体５４に尿が吸収され重みが増したり、排便の重みによって吸収体５４部分が、結果的には紙おむつ全体が着用中に垂れ下がり、見栄えが悪い、装着性が悪化するなどの問題が生じるとともに、吸収体５４の垂れ下がりによって脚部との間に隙間が生じ排泄物が漏れ易くなるなどの問題があった。また、前記脚周りに沿って配設される脚回り弾性伸縮部材６１，６２によって肌に跡付きが生じるなどの問題もあった。なお、これら吸収体の垂れ下がりの問題およびゴムによる跡付きの問題等は従来のテープ型使い捨て紙おむつにおいても同様である。
【０００７】
他方、前述したパンツ型使い捨て紙おむつの例では、脚周り弾性伸縮部材６１，６２が股間部を横断して配設されているため、吸収体５４が剛化しはき心地が悪くなる、外面側に脚回り第１弾性伸縮部材６１、６１…および第２弾性伸縮部材６２、６２…の配設ラインに沿ってシワが生じるため見栄えが悪くなるとともに、強い収縮力がそのまま吸収体５４に作用するため、吸収体５４に紙おむつ幅方向の縮こまりが生じて装着者が股間部に不快なゴワ付き感を感じるようになるとともに、吸収体５４の縮こまりによって生じた幅方向の溝やシワから尿等が漏れ出すことがあるなどの問題があった。
【０００８】
そこで本発明の主たる課題は、テープ型およびパンツ型の種別を問わず、排尿および排便の重みによって吸収体が垂れ下がるのを防止するとともに、横漏れを防止し、さらに脚周り弾性伸縮部材によるゴムの跡付きを軽減することにある。
【０００９】
また同時に、パンツ型使い捨て紙おむつへの適用では、股間部を横断する脚周り弾性伸縮部材を無くすことで、吸収体の剛化、縮こまりおよびゴワ付き感を防止するとともに、見栄えを向上することにある。
【課題を解決するための手段】
【００１０】
前記課題を解決するための請求項１記載の本発明として、使用面側を覆う透液性トップシートと、外面側を覆うバックシートとの内部に吸収体が介在された使い捨て紙おむつにおいて、
前記使い捨て紙おむつの両側部に紙おむつの略長手方向に沿って直線状に或いは脚周りに沿うように展開視で弧状に配置された吸収体持上げ用弾性伸縮部材を配置するとともに、前記直線状に或いは脚周りに沿うように展開視で弧状に配置された吸収体持上げ用弾性伸縮部材の前後端部を吸収体配設領域に固定したことを特徴とする使い捨て紙おむつが提供される。
【００１１】
請求項２に係る本発明として、前記吸収体は中間両側部領域に括れ部を有する略砂時計形状を成し、前記吸収体持上げ用弾性伸縮部材は、中間部では前記括れ部を通り、前後端部が吸収体前後端側部に夫々固定されている請求項１記載の使い捨て紙おむつが提供される。
【００１２】
請求項３に係る本発明として、前記吸収体持上げ用弾性伸縮部材は、脚周りに沿うように展開視で弧状に配置されている請求項１、２いずれかに記載の使い捨て紙おむつが提供される。
【００１３】
請求項４に係る本発明として、前記吸収体は中間両側部領域に括れ部を有する略砂時計形状を成し、前記吸収体持上げ用弾性伸縮部材は、展開視で前記括れ部に沿って吸収体の内側領域に配置されている請求項１、２いずれかに記載の使い捨て紙おむつが提供される。
【００１４】
請求項５に係る本発明として、透液性トップシートと、防水フィルムとの間に吸収性本体を含み、表面両側に立体ギャザーが形成された紙おむつ本体の外面側に本体バックシートが一体的に設けられた使い捨て紙おむつにおいて、
前記本体バックシートは、前身頃に横方向に沿って複数の腹部弾性伸縮部材が設けられるとともに、後見頃に横方向に沿って複数の臀部弾性伸縮部材が設けられ、
前記使い捨て紙おむつの両側部に紙おむつの略長手方向に沿って直線状に或いは脚周りに沿うように展開視で弧状に配置された吸収体持上げ用弾性伸縮部材を配置するとともに、該吸収体持上げ用弾性伸縮部材の一方端は前記複数の腹部弾性伸縮部材の内、最も股下側の腹部弾性伸縮部材を越えて延在し、かつ前記吸収体持上げ用弾性伸縮部材の他方端は前記複数の臀部弾性伸縮部材の内、最も股下側の臀部弾性伸縮部材を越えて延在していることを特徴とする使い捨て紙おむつが提供される。
【００１５】
なお、前記吸収体持上げ用弾性伸縮部材は、丁度、前身頃から脚付け根部を経由して後身頃に至るように配設され、従来の脚周り弾性伸縮部材を兼用し得るため、従来の前記立体ギャザーの起立点よりも実質的に外側に配置される脚周り弾性伸縮部材、具体的にはパンツ型使い捨て紙おむつの例で言えば、図１０に示される、少なくとも一方の脚回りの前身頃端から股間部を巡って他方の脚回りの前身頃端に連続して配設された１または複数の脚回り第１弾性伸縮部材６１，６１…、および一方の脚回りの後身頃端から股間部を巡って他方の脚回りの後身頃端に連続して配設された１または複数の脚回り第２弾性伸縮部材６２，６２…、またテープ式使い捨て紙おむつの例で言えばサイドフラップに紙おむつ長手方向に沿って配設される平面ギャザーを形成するための複数本の弾性伸縮部材（図示せず）を省略した態様においてその効果が発揮される。
【発明の効果】
【００１６】
以上詳説のとおり本発明によれば、テープ型およびパンツ型の種別を問わず、排尿および排便の重みによって吸収体が垂れ下がるのを防止するとともに、横漏れを防止し、さらに脚周り弾性伸縮部材によるゴムの跡付きを軽減することができるようになる。
【００１７】
またパンツ型使い捨て紙おむつへの適用では、股間部を横断する脚周り弾性伸縮部材を無くすことで、吸収体の剛化、縮こまりおよびゴワ付き感を防止するとともに、見栄えを向上することが出来るようになる。
【発明を実施するための最良の形態】
【００１８】
以下、本発明の実施の形態について図面を参照しながら詳述する。
【００１９】
〔第１形態例〕
図１は本発明に係るパンツ型使い捨て紙おむつの一部破断展開図、図２及び図３はそれぞれ図１のII−II線矢視図、III−III線矢視図である。なお、図面の所要箇所においては接着部位を×印で明示している。
【００２０】
同図に明示されるように、本パンツ型紙おむつは、不織布などからなる透液性トップシート１１と、ポリエチレン等からなる防水フィルム１２とにより、綿状パルプなどからなる吸収体本体１３を含む構造の紙おむつ本体１０の外面側に本体バックシート２０が一体的に設けられた構造の紙おむつである。
【００２１】
以下、前記紙おむつ本体１０と本体バックシート２０の構造、およびその組立構造について順に説明する。
【００２２】
（紙おむつ本体１０の構造）
前記吸収体本体１３は、広い面積の砂時計状の上側吸収体１３Ａと、若干狭い面積の長方形状の下側吸収体１３Ｂとを備え、これらがクレープ紙１３Ｃ、１３Ｄによって囲繞され、全体として変形が可能な半剛性の性質を有するもので、前記上側吸収体１３Ａおよび下側吸収体１３Ｂの内部には粉状の高分子吸収ポリマーが含有されている。この吸収体本体１３の上面に対して、透液性トップシート１１がほぼ全面においてホットメルト接着剤により固定され、吸収体本体１３の下面に対して防水フィルム１２が同じくホットメルト接着剤により固定され、紙おむつ本体１０が構成されている。
【００２３】
一方、前記紙おむつ本体１０の表面両側にはギャザーシート３０，３０によって立体ギャザーＢ１、Ｂ１が設けられている。
【００２４】
前記ギャザーシート３０は、図２に示されるように、上側吸収体１３Ａの側縁部近傍位置から紙おむつ本体１０の側縁部、すなわち吸収体１３Ａ、１３Ｂ側縁より外方に延在しているクレープ紙１３Ｃ、１３Ｄの側部接合部を越えてさらに防水フィルム１２の側縁部において一端側が透液性トップシート１１上にホットメルト接着剤によって固定され、ほぼ幅方向中央部で折り返され他端側が前記ホットメルト接着剤によって固定された一端側の上面に同じくホットメルト接着剤によって固定されている。この二重に形成されたギャザーシート３０の内部には、高さ方向に複数本の、図示の例では６本の弾性伸縮部材３１，３１…が配設されている。前記ギャザーシート３０は、紙おむつ本体１０の前後端部では図３に示されるように、起立先端側が所定幅で外側に折り返されホットメルト接着剤によって接着されているとともに、折り返し点から起立点までの面も透液性トップシート１１にホットメルト接着剤によって接着されている。
【００２５】
その結果、製品の使用状態において、その中間部のみが自由端となって、第１起立用弾性伸縮部材３１、３１…の収縮力に伴って製品の内側に向かって起立し立体ギャザーＢ１を構成するようになっている。また、起立部分の高さ方向に沿って複数本の弾性伸縮部材３１，３１…を配設し、起立部分がひだ状となるように構成してあるため、肌に対する密着度が向上し横漏れを確実に防止するようになっている。前記立体ギャザーＢ１を構成するギャザーシート３０としては、極力透液性を低下させ体液の透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。また、前記弾性伸縮部材３１および後述の吸収体持上げ用弾性伸縮部材１４としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００２６】
他方、前記防水フィルム１２は、紙おむつ本体１０の裏面全面を覆う態様で設けられている。この防水フィルム１２としては、近年、ムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に遠心することにより得られる微多孔性シートであり、仮にシート厚が同じであれば無孔シートよりも剛性が低下するため、柔軟性の点で勝るものとなる。なお、立体ギャザーＢ１の形成態様は、本例では紙おむつ本体１０の両側にそれぞれ１条づつ設けたが、２条づつ設けるようにしてもよい。
【００２７】
（本体バックシート２０の構造）
本体バックシート２０は、内面用バックシート不織布２２と外面用バックシート不織布２１とをホットメルト接着剤によって貼り合わせたもので、その前後端側部にフラップ部を形成するべく、前記紙おむつ本体１０よりも外形が大きく、全体として擬似砂時計形状を成している。
【００２８】
この本体バックシート２０を構成している内面用バックシート不織布２２と外面用バックシート不織布２１との間には、紙おむつを着用者にフィットさせるとともに、尿や便の漏れを防止するために各種機能の弾性伸縮部材が介在され、ホットメルト接着剤によって固定されている。
【００２９】
具体的には、図１に示される展開形状において、前身頃Ｆの開口部および後身頃Ｂの開口部において、たとえば帯ゴムなどからなる、図示例では各４本の腰回り弾性伸縮部材２３…，２４…がそれぞれ設けられている。
【００３０】
また、前身頃Ｆの腹部相当箇所において横方向に沿って、例えば糸ゴムからなる複数本の、図示の例では５本の腹部弾性伸縮部材２５，２５…が設けられるとともに、両端部が腹部相当箇所に位置し、中央部が股下側に膨出する形状の糸ゴムからなる複数本の、図示の例では６本の前身頃持ち上げ用弾性伸縮部材２６，２６…が設けられている。また、後身頃Ｂの前記腹部相当箇所に対応した臀部箇所には横方向に沿ってたとえば糸ゴムからなる複数本の、図示の例では６本の臀部弾性伸縮部材２７，２７…が設けられている。
【００３１】
なお、本発明に係る使い捨て紙おむつでは、後述の吸収体配設部位に吸収体持上げ用弾性伸縮部材１４、１４を設けるために、従来の脚周り弾性伸縮部材、すなわち図１０に示される、一方の脚回りの前身頃Ｆ端から股間部を巡って他方の脚回りの前身頃Ｆ端に連続して配設された１または複数の脚回り第１弾性伸縮部材６１、６１…と、一方の脚回りの後身頃Ｂ端から股間部を巡って他方の脚回りの後身頃Ｂ端に連続して配設された１または複数の脚回り第２弾性伸縮部材６２，６２…は設けられていない。
【００３２】
（紙おむつの組立）
前記紙おむつ本体１０および本体バックシート２０はそれぞれ別々に製造され、図４に示されるように、本体バックシート２０の上面側に紙おむつ本体１０がホットメルト等の接着剤Ｓによって接着され一体化される。そして、図５に示されるように、紙おむつ本体１０および本体バックシート２０が折り返しラインＬにて前後方向に折り重ねられ、その両側部が相互に熱溶着またはホットメルト接着剤などによって接合されることによりパンツ型紙おむつに組み立てられる。
【００３３】
前記紙おむつ本体１０と本体バックシート２０との接合の際には、本発明に従って前記紙おむつ本体１０と本体バックシート２０との間に、紙おむつ本体１０の吸収体本体１３配設相当部位に吸収体持上げ用弾性伸縮部材１４，１４が介在される。この吸収体持上げ用弾性伸縮部材１４は、平面的には図１に示されるように、吸収体本体１３を構成している砂時計状の上側吸収体１３Ａの前後端部の相対的に幅広部両側を終始端として、中央の括れ部１３ａを通過するように長手方向に沿って配設される。また、図２の横断面図でその配置態様を視ると、前記紙おむつ本体１０の防水フィルム１２と、前記本体バックシート２０の内面用バックシート不織布２２との間に介在されるように固定され、前記立体ギャザーＢ１との位置関係は少なくとも紙おむつ長手方向中央部では前記立体ギャザーＢ１の起立点よりも内側位置に配設されている。前記吸収体持上げ用弾性伸縮部材１４は、その伸縮率を概ね１２０〜３００％、弾性強度を５〜１５０ｇとする条件の下で配置するのが望ましい。
【００３４】
ところで、前記吸収体持上げ用弾性伸縮部材１４は、図示の例では前記紙おむつ本体１０と本体バックシート２０との間に介在させるようにしたが、紙おむつ本体１０の内部、たとえばクレープ紙１３Ｄと防水フィルム１２との間、またはクレープ紙１３Ｃとクレープ紙１３Ｄとの間に配置するようにしてもよい。また、本例では１本の弾性伸縮部材を配置するようにしたが複数本配置するようにしてもよい。
【００３５】
かかる使い捨て紙おむつの場合には、図５に示されるように、前記吸収体持上げ用弾性伸縮部材１４、１４が紙おむつ本体１０の配設範囲内の両側部において前身頃から脚付け根部を経由して後身頃に至るように配設される。したがって、吸収体本体１３に排尿および排便が行われ重みが増しても吸収体本体１３が下方に垂れ下がるのを効果的に防止し得るようになる。その結果、股間部との間に隙間が形成されることが無くなるとともに、前記立体ギャザーＢ１が肌から離間することなくなるため、横漏れを確実に防止できるようになる。また、吸収体本体１３の垂れ下がりがなくなることで装着状態の見栄えが悪化するのを防止できるようになるとともに、装着性が悪化するのを同時に防止できるようになる。
【００３６】
一方、本使い捨て紙おむつにおいては、従来の脚周りに沿って配設されると共に、股間部にて吸収体を横断して配設される脚周り弾性伸縮部材を無くしたため、ゴムによる跡付きを無くすことが可能になるとともに、ゴムの収縮力による吸収体の剛化および縮こまりを同時に防止できるようになり、ゴワ付き感などを無くし装着感が向上するようになる。また、吸収体の縮こまりによって生じる溝やシワから尿が漏れ出すなどの事態も防止できるようになる。さらに、外観的にも股間部を横断する弾性伸縮部材を無くすことで外観が向上するようになる。
【００３７】
ところで、前記吸収体持上げ用弾性伸縮部材１４の配置態様としては種々の例を挙げることができる。図６に示される配置態様は、股間部領域では括れ部１３ａ領域において脚周りに沿うように弧状に配置し、前後端部を上側吸収体１３Ａの配設領域内に固定するように配置した例であり、図７に示される配置態様は上側吸収体１３Ａ内であってかつその側縁部に括れ部１３ａの形状に沿って弧状に配置した例である。これら図６および図７に示される配置態様では、弧状に配置した吸収体持上げ用弾性伸縮部材１４、１４により外方向（幅方向外側方向）に向かう力が吸収体本体１３に作用するようになるため、尿を吸収した吸収体本体１３が中央部に束状に集まるのを同時に防止出来るようになる。
【００３８】
前記吸収体持上げ用弾性伸縮部材１４，１４によって吸収体本体１３が垂れ下がらないようにきっちりと保持するためには、吸収体持上げ用弾性伸縮部材１４の前後端部（固定点）がきっちりとあまり位置ズレしない状態で保持されることが望ましく、したがって前記吸収体持上げ用弾性伸縮部材１４の両端部は吸収体本体１３の配設領域に固定するようにするのが良い。
【００３９】
〔第２形態例〕
図８は本発明をテープ型使い捨て紙おむつに適用した場合の一部破断展開図であり、図９は図８のIX−IX矢視図である。
【００４０】
図８において、使い捨て紙おむつは、有孔または無孔の不織布からなり使用面側を覆う透液性トップシート２と、不織布からなり紙おむつの外面を覆うとともに、おむつ前後端両側部では後述のギャザーシート４と共にフラップ部ＥＳを構成し、かつおむつ前後端部では透液性トップシート２と共にエンドフラップ部ＥＦを構成するバックシート１と、前記透液性トップシート２とバックシート１との間に介在された、綿状パルプ等からなる砂時計形状（または長方形状等）のある程度の剛性を有する吸収体本体３Ａおよびこれを囲繞するクレープ紙６とからなる吸収体３と、バックシート１との間の実質的に吸収体３を覆う範囲に配設されたポリエチレン等からなる防水フィルム５と、紙おむつの両側部に表面側に起立する立体ギャザーＢ１を形成するギャザーシート４と、紙おむつ背側両側部に設けられたファスニングテープ８，８とから主に構成されている。
【００４１】
前記吸収体本体３Ａは全体として砂時計形状を成し、両側縁の股間相当部位に立体ギャザーＢ１の基端位置よりも内方側に側縁を有するように括れ部分３ａ、３ａが形成されている。また、前記吸収体本体３Ａは、クレープ紙６によって内包されるようになっている。前記クレープ紙６は、詳しくは図９に示されるように、吸収体本体３Ａの上面および非括れ部分３ａ側縁を越えて側方に延在される方形状の上層クレープ紙６Ａと、吸収体本体３Ａの下面および非括れ部分３ａ側縁を越えて側方に延在される方形状の下層クレープ紙６Ｂとから構成されるもので、最側縁部においては一方側クレープ紙（図示の例では下層クレープ紙６Ｂ）の延在端を他方側クレープ紙（図示の例では上層クレープ紙６Ａ）の延在端部に重ねて折り返し、クレープ紙６Ａ、６Ｂの重合部を形成している。
【００４２】
他方、本例では通常、おむつ外面を覆うために用いられているポリエチレン等による不透液性バックシートに代えて、不織布からなるバックシート１が用いられているため、吸収体本体３Ａが吸収した体液が外面側に滲み出すのを防止するため、吸収体３とバックシート１との間にポリエチレン等からなる防水フィルム５が介在されている。前記防水フィルム５は、吸収体３を覆う範囲で方形状とされ、かつ両側縁部が吸収体３側縁よりも若干側方に延在して形成され、この側方延在部分Ｋにおいて透液性トップシート２とホットメルト接着剤などにより固着されている。
【００４３】
一方、ギャザーシート４は、吸収体３の側縁部においてその幅方向中間部が紙おむつの略長手方向に沿って固着され、この固着部よりも内方側の不織布シート部分によって表面側に起立する立体ギャザーＢ１が形成されている。この立体ギャザーＢ１は、吸収体３の側縁近傍位置に起立端を有し、その先端が紙おむつ長手方向に沿って二重に折り返され、この折り返し部の内方に１本の糸状弾性ゴム７を、または必要により複数本の糸状弾性ゴムを配設することにより、その伸縮力を利用して立体ギャザーＢ１を起立させるようになっている。
【００４４】
一方、紙おむつの背側および腹側では、この防水フィルム５の外側領域に、前記バックシート１および透液性トップシート２とによるエンドフラップ部ＥＦが形成され、テープ状弾性伸縮部材９，９がそれぞれ介在されている。
【００４５】
かかるテープ式紙おむつにおいても、前記立体ギャザーＢ１の外側位置に紙おむつの長手方向に沿って複数本の弾性伸縮部材を配設する代わりに、吸収体３の配設領域の両側部に紙おむつの長手方向に沿って、図示の例では１本の吸収体持上げ用弾性伸縮部材１４が配設されている。この吸収体持上げ用弾性伸縮部材１４の配置態様はもちろん、たとえば図６に示されるように股間部領域では括れ部１３ａ領域において脚周りに沿うように弧状に配置するようにしてもよいし、または図７に示されるように吸収体本体１３Ａ内であってかつその側縁部に括れ部１３ａの形状に沿って弧状に配置するようにしてもよい。
【００４６】
また、配設される層の位置は、図示の例では防水フィルム５とバックシート１との間に配置するようにしたが、防水フィルム５と下層クレープ紙６Ｂとの間、上層クレープ紙６Ａと下層クレープ紙６Ｂとの間、さらには上層クレープ紙６Ａと透液性トップシート２との間に配置するようにしてもよい。
【図面の簡単な説明】
【００４７】
【図１】本発明に係るパンツ型使い捨て紙おむつの一部破断展開図である。
【図２】図１のII−II線矢視図である。
【図３】図１のIII−III線矢視図である。
【図４】紙おむつ本体と本体バックシート２０との一体化要領および吸収体持上げ用弾性伸縮部材１４の配設要領を示す斜視図である。
【図５】本パンツ型紙おむつの製品状態斜視図である。
【図６】吸収体持上げ用弾性伸縮部材１４の配置態様変形例を示す紙おむつ本体１０の平面図である。
【図７】吸収体持上げ用弾性伸縮部材１４の他の配置態様変形例を示す紙おむつ本体１０の平面図である。
【図８】本発明に係るテープ式使い捨て紙おむつの一部破断展開図である。
【図９】図８のIX−IX線矢視図である。
【図１０】従来のパンツ型紙おむつを示す展開図である。
【図１１】従来のパンツ型使い捨て紙おむつの製品状態斜視図である。
【符号の説明】
【００４８】
１…バックシート、２…透液性トップシート、３…吸収体、３Ａ…吸収体本体、５…防水フィルム、６Ａ・６Ｂ…クレープ紙、１０…紙おむつ本体、１１…透液性トップシート、１２…防水フィルム、１３…吸収体本体、１３Ａ…上側吸収体、１３Ｂ…下側吸収体、１３Ｃ・１３Ｄ…クレープ紙、１４…吸収体持上げ用弾性伸縮部材、２０…本体バックシート、２１…外面用バックシート不織布、２２…内面用バックシート不織布、２３・２４…腰回り弾性伸縮部材、２５…腹部弾性伸縮部材、２６…前身頃持ち上げ用弾性伸縮部材、２７…臀部弾性伸縮部材、３０…ギャザーシート、３１…起立用弾性伸縮部材、Ｂ１…立体ギャザー
【図１】
2007000653.tif 000003
【図２】
2007000653.tif 000004
【図３】
2007000653.tif 000005
【図４】
2007000653.tif 000006
【図５】
2007000653.tif 000007
【図６】
2007000653.tif 000008
【図７】
2007000653.tif 000009
【図８】
2007000653.tif 000010
【図９】
2007000653.tif 000011
【図１０】
2007000653.tif 000012
【図１１】
2007000653.tif 000013